(57)【要約】【課題】  コストアップを伴うことなく極めて簡略的に、撮像部とズーム機構等の光学系とを備えた高性能な撮影機能を付加する。【解決手段】  第１の筐体１２及び第２の筐体１３を一端側近傍の連結部１４にて、面に直交する回転軸Ｘを中心として面方向に相対的に回動可能に連結する。第１の筐体１２に表示部１５を設ける。第１の筐体１２に撮像部１７を設け、第２の筐体１３にズーム機構等の光学系１９を設ける。撮像部１７と光学系１９とを、連結部１４に設け、その光軸を連結部１４の回転軸Ｘに一致させる。【選択図】      図３
2005101814.tif 000002
【特許請求の範囲】
【請求項１】
互いに連結された少なくとも二つの筐体を有し、これら筐体が互いに重ね合わせ可能に構成された携帯通信端末であって、
いずれか一方の筐体に撮像部、他方の筐体に光学系を設けてなり、前記両筐体を重ね合わせた場合に前記撮像部と光学系の光軸が一致するように配置したことを特徴とする携帯通信端末。
【請求項２】
前記両筐体が、直線的にスライド可能に連結され、両筐体が収縮状態にて前記撮像部と前記光学系との光軸が一致するように配置したことを特徴とする請求項１に記載の携帯通信端末。
【請求項３】
前記二つの筐体は、前記撮像部と光学系との光軸を一致させた状態で該光軸の方向に沿って相対移動可能に連結されたことを特徴とする請求項１または２に記載の携帯通信端末。
【請求項４】
一端側近傍にて表示面に略直交する回転軸を中心として相対的に回動可能に連結された二つの筐体から構成された携帯通信端末であって、
いずれか一方の筐体に撮像部、他方の筐体に光学系を設けてなり、前記撮像部と光学系の光軸が前記回転軸方向と一致するように前記撮像部と光学系を前記回転軸内に配置したことを特徴とする携帯通信端末。
【発明の詳細な説明】
【技術分野】
【０００１】
本発明は、携帯通信端末に関するもので、特に相対的に移動可能な二つの筐体を有する携帯通信端末に関するものである。
【背景技術】
【０００２】
近年携帯電話は表示される情報量の多さからディスプレイの大型化、カラー化が進み、操作性と携帯性の両面に優れた折り畳み型の携帯電話が一般的になってきた。更に小型のカメラが搭載されたカメラ付携帯電話機も登場し、気軽に持ち歩けて、いつでも撮影できる便利さから大変普及している。
一般的なカメラ付携帯電話機では、本体の背面側（表示部の裏面側）にカメラを搭載しているものが多く、そのほとんどが単焦点レンズを用いたカメラを使用しているが、カメラの高画質化、高画素化に伴い、光学系にもズーム機能が求められてきている。
【０００３】
従来の携帯通信装置にズーム機能を搭載した折畳み型の形態電話機は、ズーム機構と撮像部をヒンジ機構内に設けたもので、通話／通信時と撮影時で表示部を持つ筐体を撮像部の光軸に対して回転させるものである。
【０００４】
また、この種のカメラ携帯通信端末としては、以下の先行技術があった。
【特許文献１】特開平１１−１３６５５４号公報
【発明の開示】
【発明が解決しようとする課題】
【０００５】
しかしながら、上記のズーム機能を搭載した折畳み型の携帯通信端末では、ズーム機構の距離をかせぐ目的から光学系の光軸を本体の幅方向、つまり表示部の表示面に対して水平方向にとっているため、撮影時には表示部の表示面と光学系の光軸が一致するように表示部の向きを変える回動機構を新たに追加しなければならず、構造の複雑化が避けられず、コストアップを余儀なくされていた。
【０００６】
この発明は、上記事情に鑑みてなされたもので、筐体の大幅なサイズ増加、コストアップ等を伴うことなく極めて簡略的に、撮像部とズーム機構等の光学系とを備えた高性能な撮影機能を有する携帯通信端末を提供することを目的としている。
【課題を解決するための手段】
【０００７】
上記目的を達成するために、本発明は、互いに連結された少なくとも二つの筐体を有し、これら筐体が互いに重ね合わせ可能に構成された携帯通信端末であって、いずれか一方の筐体に撮像部、他方の筐体に光学系を設けてなり、前記両筐体を重ね合わせた場合に前記撮像部と光学系の光軸が一致するように配置したことを特徴としている。
【０００８】
さらに、本発明は、前記両筐体が、直線的にスライド可能に連結され、両筐体が収縮状態にて前記撮像部と前記光学系との光軸が一致するように配置したことを特徴としている。
【０００９】
また、本発明は、二つの筐体が、撮像部と光学系との光軸を一致させた状態で相対移動可能に連結されたことを特徴としている。
また、本発明は、一端側近傍にて表示面に略直交する回転軸を中心として相対的に回動可能に連結された二つの筐体から構成された携帯通信端末であって、いずれか一方の筐体に撮像部、他方の筐体に光学系を設けてなり、前記撮像部と光学系の光軸が前記回転軸方向と一致するように前記撮像部と光学系を前記回転軸内に配置したことを特徴とする。
【発明の効果】
【００１０】
以上、説明したように、本発明の携帯通信端末によれば、互いの筐体の重なり部分に撮像部と光学系とを設けたので、簡略的に撮像部とズーム機構等の光学系を備えた高性能な撮影機能を有する携帯通信端末とすることができる。
また、表示部に対して撮像部及び光学系を、その光軸が直交するように設けたので、撮影時に表示部の向きを変えるための回転機構を不要とすることができ、コストアップを伴うことなく、しかも、携帯性を損なうことなくズーム機構等の光学系を有する撮影機能を付加することができる。
【発明を実施するための最良の形態】
【００１１】
以下、本発明の実施形態に係る携帯通信端末について図面を参照して説明する。
なお、各実施形態において、同一構造部分には、同一符号を付して説明を省略する。
【００１２】
[実施形態１]
図１は、携帯通信端末を示す収縮状態の正面図、図２は、携帯通信端末を示す収縮状態の裏面図、図３は、携帯通信端末を示す収縮状態の概略断面図であり、図４は、携帯通信端末を示す伸長状態の正面図、図５は、携帯通信端末を示す伸長状態の裏面図、図６は、携帯通信端末を示す伸長状態の概略断面図である。
図に示すように、この携帯通信端末１１は、第１の筐体１２及び第２の筐体１３を有している。これら第１の筐体１２及び第２の筐体１３は、一端側近傍の連結部１４にて、表示面に直交する回転軸Ｘを中心として表示面に対して略水平方向に相対的に回動可能に連結され、収縮させた収縮状態（図１から図３の状態）及び伸長させた伸長状態（図４から図６の状態）の二つの形態となるものである。  第１の筐体１２は、撮影時の画像や電話機の操作メニュー等を表示するための表示部１５、複数の操作ボタンなどからなる操作部１６あるいはイヤスピーカ（図示せず）などが設けられている。
また、この第１の筐体１２には、第２の筐体１３との連結部１４に、ＣＣＤやＣＭＯＳ等の撮像モジュールからなる撮像部１７が、その光軸を連結部１４の回転軸Ｘに一致させて配設されている。
【００１３】
一方、第２の筐体１３は、文字、ダイヤル入力やメニュー操作に使用するテンキーを含む操作部１８が設けられ、その他に図示しないバッテリやＣＰＵ、メモリ、無線部、マイクなど携帯電話を構成する要素が収縮されている。
また、この第２の筐体１３には、第１の筐体１２との連結部１４に、ズーム機構などの光学系１９が、その光軸を連結部１４の回転軸Ｘに一致させて配設されている。
つまり、上記携帯通信端末１１では、撮像部１７及び光学系１９の光軸が、それぞれ連結部１４の回転軸Ｘにて一致されている。
【００１４】
図７は、携帯通信端末の機能を説明するブロック図である。
図に示すように、この携帯通信端末１１は、ＣＰＵ２１を有し、このＣＰＵ２１には、表示部１５、操作部１６，１８、撮像部１７のほかＲＯＭ、ＲＡＭなどのメモリ２５及び無線部２６が接続されている。そして、ＣＰＵ２１によって、これら表示部１５、操作部１６，１８、撮像部１７、メモリ２５及び無線部２６による携帯通信処理、画像処理等が行われる。
【００１５】
そして、携帯通信端末１１では、待ち受け時などの通常時は、第１の筐体１２が、第２の筐体１３に重なるように配置された収縮状態（図１から図３の状態）であり、この状態から、文字入力などの操作が必要な場合は、第１の筐体１２を、連結部１４の回転軸Ｘを中心に１８０度回転させて操作部１８を露出させた伸長状態（図４から図６の状態）とし、キー操作を行う。
また、この携帯通信端末１１では、撮像部１７及び光学系１９の光軸を第１、第２の筐体１２、１３同士の連結部１４の回転軸Ｘと一致するように配置しているため、閉じた収縮状態でも開いた伸長状態でも同じように撮像部１７と光学系１９との位置関係は変わらないので、どちらの状態でもズーム撮影を行うことができる。また、その際に表示面と撮像部および光学系との光軸を一致させる必要もない。
【００１６】
そして、この携帯通信端末１１において、メニューからカメラ機能を起動すると、撮像部１７で取り込んだ画像が順次表示部１５に表示される。
また、ユーザが本体表面に配置されているシャッターボタン（図示せず）を押下すると押下検出時の画像データがキャプチャされ、ユーザの指示により、メモリ２５に保存される。シャッターボタンは、第１の筐体１２を閉じた場合も、開いた場合も同様に操作できる必要があるため、第２の筐体１３の側面に設けるのが望ましい。
【００１７】
また、カメラ機能実行時にはズーム操作用のキーを押下することができる。このズーム操作用のキーは、シャッターボタンのように専用に設けてもよいし、第１の筐体１２の操作ボタンや第２の筐体１３の操作キーを用い、筐体の開閉状態に応じてソフトウェア的に切り替えて実現してもよい。そして、このズーム操作用のキーの押下に合わせて光学系１９のズーム機構のレンズが駆動される。
【００１８】
そして、上記第１実施形態に係る携帯通信端末１１によれば、互いの筐体１２、１３の重なり部分に撮像部１７と光学系１９とを設けたので、大幅なサイズの増加をともなうことなく、簡略的に撮像部１７とズーム機構等の光学系１９を備えた高性能な撮影機能を有する携帯通信端末１１とすることができる。
また、連結部１４にて回動可能に連結された携帯通信端末において、その連結部１４に撮像部１７と光学系１９とを設けることにより、容易に高性能な撮影機能を付加することができ、また、この場合、互いの筐体１２、１３を閉じた収縮状態でも開いた伸長状態でも同じように撮影を行うことができる。
【００１９】
しかも、表示部１５に対して撮像部１７及び光学系１９を、その光軸が直交するように設けたので、撮影時に表示部１５の向きを変えるための回転機構を不要とすることができ、コストアップを伴うことなく、しかも、携帯性を損なうことなくズーム機構等の光学系１９を有する撮影機能を付加することができる。
これにより、撮影時は表示部１５を見ながら撮影を行うことができる。
【００２０】
なお、上記第１実施形態において、第１の筐体１２及び第２の筐体１３を、その連結部１４にて、その回転軸Ｘ方向に沿って相対移動可能な構造としても良い。そして、このような構造として、第１の筐体１２と第２の筐体１３とを回転軸Ｘ方向に相対移動させることにより、撮像部１７に対する光学系１９の位置を変位させて、撮像部１７にて撮影する画像の倍率を変化させるズーム機能を持たせることができる。
【００２１】
[実施形態２]
次に、第２実施形態に係る携帯通信端末について説明する。
図８は、携帯通信端末を示す収縮状態の正面図、図９は、携帯通信端末を示す収縮状態の裏面図、図１０は、携帯通信端末を示す収縮状態の概略断面図であり、図１１は、携帯通信端末を示す伸長状態の正面図、図１２は、携帯通信端末を示す伸長状態の裏面図、図１３は、携帯通信端末を示す伸長状態の概略断面図である。
【００２２】
図に示すように、この携帯通信端末１１Ａも、第１の筐体１２及び第２の筐体１３を有している。この携帯通信端末１１Ａは、第１の筐体１２及び第２の筐体１３が、相対的に互いにスライド可能に連結され、互いにスライドさせて収縮させた収縮状態（図８から図１０の状態）及び伸長させた伸長状態（図１１から図１３の状態）の二つの形態となるいわゆるスライド型のものである。
【００２３】
この携帯通信端末１１Ａでは、第１の筐体１２に設けられた撮像部１７と第２の筐体１３に設けられた光学系１９とが、第１の筐体１２と第２の筐体１３とを収縮させた収縮状態にて重なり合い、それぞれの光軸が一致する構造とされている。
そして、このように収縮状態として、撮像部１７と光学系１９との光軸を一致させた状態にて、光学系１９のズーム機構のレンズを駆動させることにより、ズーム機能を働かせて画像の撮影を行うことができる。
【００２４】
また、第１の筐体１２と第２の筐体１３とを伸長させた伸長状態においては、この状態において、シャッターボタンを押下することにより、光学系１９によるズーム機能を用いずに撮像部１７によって撮影することもできる。なお、このとき、露出していた光学系１９の表面にカバー３１が配設され、光学系１９が保護される。
【００２５】
このように、上記第２実施形態に係る携帯通信端末１１Ａによれば、互いの筐体１２、１３の重なる部分に撮像部１７と光学系１９とを設けたので、大幅なサイズの増加をともなうことなく、簡略的に撮像部１７にズーム機構等の光学系１９を備えた高性能な撮影機能を有する携帯通信端末１１とすることができる。
また、互いの筐体１２、１３を直線的にスライド可能に連結されたいわゆるスライド型の携帯通信端末において、収縮状態にて光軸が一致するように撮像部１７と光学系１９とを設けることにより、容易に高性能な撮影機能を付加することができる。
【００２６】
しかも、表示部１５に対して撮像部１７及び光学系１９を、その光軸が直交するように設けたので、撮影時に表示部１５の向きを変えるための回転機構を不要とすることができ、コストアップを伴うことなく、しかも、携帯性を損なうことなくズーム機構等の光学系１９を有する撮影機能を付加することができる。
これにより、撮影時は、表示部１５を見ながら撮影を行うことができる。
【００２７】
なお、上記第２実施形態の携帯通信端末１１Ａにおいて、焦点距離の異なる複数のレンズを、第１の筐体１２と第２の筐体１３とのスライド位置に応じて撮像部１７に重なるように第２の筐体１３に設けても良い。そして、このような構造とすることにより、第１の筐体１２と第２の筐体１３とを相対的にスライドさせて、撮像部１７に必要に応じた焦点距離のレンズを重ね合わせて撮影することができる。
【図面の簡単な説明】
【００２８】
【図１】第１実施形態に係る携帯通信端末を示す収縮状態の正面図である。
【図２】第１実施形態に係る携帯通信端末を示す収縮状態の裏面図である。
【図３】第１実施形態に係る携帯通信端末を示す収縮状態の概略断面図である。
【図４】第１実施形態に係る携帯通信端末を示す伸長状態の正面図である。
【図５】第１実施形態に係る携帯通信端末を示す伸長状態の裏面図である。
【図６】第１実施形態に係る携帯通信端末を示す伸長状態の概略断面図である。
【図７】携帯通信端末の機能を説明するブロック図である。
【図８】第２実施形態に係る携帯通信端末を示す収縮状態の正面図である。
【図９】第２実施形態に係る携帯通信端末を示す収縮状態の裏面図である。
【図１０】第２実施形態に係る携帯通信端末を示す収縮状態の概略断面図である。
【図１１】第２実施形態に係る携帯通信端末を示す伸長状態の正面図である。
【図１２】第２実施形態に係る携帯通信端末を示す伸長状態の裏面図である。
【図１３】第２実施形態に係る携帯通信端末を示す伸長状態の概略断面図である。
【符号の説明】
【００２９】
１１、１１Ａ  携帯通信端末    １２  第１の筐体    １３  第２の筐体
１４  連結部    １５  表示部    １７  撮像部    １９  光学系
Ｘ  回転軸
【図１】
2005101814.tif 000003
【図２】
2005101814.tif 000004
【図３】
2005101814.tif 000005
【図４】
2005101814.tif 000006
【図５】
2005101814.tif 000007
【図６】
2005101814.tif 000008
【図７】
2005101814.tif 000009
【図８】
2005101814.tif 000010
【図９】
2005101814.tif 000011
【図１０】
2005101814.tif 000012
【図１１】
2005101814.tif 000013
【図１２】
2005101814.tif 000014
【図１３】
2005101814.tif 000015